(57)【要約】      （修正有）【課題】空気清浄フィルタの屈伸による劣化を防止でき、空気清浄フィルタの耐久性を向上させた空気調和機を提供する。【解決手段】吸込口１１と、吸込口１１から空気を吸い込ませるファン２０と、ファン２０の動作により発生する空気流が吹き出す吹出口１２と、空気流に含まれている塵埃を集塵する空気清浄フィルタ８０Ｂと、空気清浄フィルタ８０Ｂの配置位置を移動させる移動装置９０Ｂとを備え、移動装置９０Ｂが、空気清浄フィルタ８０Ｂを、回動または直進させることで、空気清浄フィルタ８０Ｂの配置位置を移動させることを特徴とする空気調和機。【選択図】図５
2019019986.tif 000002
【特許請求の範囲】
【請求項１】
吸込口と、前記吸込口から空気を吸い込ませるファンと、
前記ファンの動作により発生する空気流が吹き出す吹出口と、
前記空気流に含まれている塵埃を集塵する空気清浄フィルタと、
前記空気清浄フィルタの配置位置を移動させる移動装置と、を備え、
前記移動装置が、前記空気清浄フィルタを、回動または直進させることで、
前記空気清浄フィルタの配置位置を移動させることを特徴とする空気調和機。
【請求項２】
前記ファンの上流側の空気流路に、前記空気流に含まれている粗塵を集塵するエアフィルタを備え、前記空気清浄フィルタは、前記エアフィルタの上流側にて、配置位置を移動することを特徴とする前記請求項１に記載の空気調和機。
【請求項３】
前記ファンの上流側の空気流路に、前記空気流に含まれている粗塵を集塵するエアフィルタを備え、前記空気清浄フィルタは、前記エアフィルタの下流側にて、配置位置を移動することを特徴とする前記請求項１に記載の空気調和機。
【請求項４】
前記空気清浄フィルタの少なくとも一部が、円弧状あるいは湾曲状、または、平板状であることを特徴とする前記請求項１〜３のいずれか１項に記載の空気調和機。
【請求項５】
前記空気流と熱交換する熱交換器を備え、前記吸込口は、少なくとも前記熱交換器の天面に対向する位置に設けられており、前記吸込口の前記熱交換器の天面に対向する位置に、前記空気清浄フィルタの少なくとも一部は配置されることを特徴とする前記請求項１〜４のいずれか１項に記載の空気調和機。
【発明の詳細な説明】
【技術分野】
【０００１】
本発明は、空気清浄フィルタを備えた空気調和機に関するものである。
【背景技術】
【０００２】
特許文献１は、気流の通風抵抗を増やさずに気流の清浄度を高めることができる空気調和機を提案している。
【０００３】
特許文献１は、気流の通路の横断面に開口面を区画する筐体と、第１区画に粗塵用フィルタを第２区画に空気清浄フィルタを有するエアフィルタと、開口面に空気清浄フィルタを配置する第１位置、および、開口面から少なくとも部分的に空気清浄フィルタをずらす第２位置との間でエアフィルタを駆動する駆動部材とを備えている。
【０００４】
そして、特許文献１の空気調和機によれば、開口面に空気清浄フィルタが位置すると、気流は空気清浄フィルタを通過することで空気清浄機能は実現される。また、開口面から空気清浄フィルタがずらされると、開口面には粗塵用フィルタが位置し、粗塵用フィルタがエアフィルタとして機能するため、通風抵抗の増大は回避される。このように、必要なときにだけ空気清浄機能が実現されることで、空気調和機は通風抵抗の増加を抑制しつつ気流の清浄度を高めることができる。
【先行技術文献】
【特許文献】
【０００５】
【特許文献１】特開２０１６−１８３７９４号公報
【発明の概要】
【発明が解決しようとする課題】
【０００６】
しかしながら、特許文献１の空気調和機では、エアフィルタの移動に伴い空気清浄フィルタが屈伸されるため、空気清浄フィルタの劣化を早めてしまうという課題を有していた。
【０００７】
本発明は、前記従来の課題を解決するもので、空気清浄フィルタの屈伸による劣化を防止でき、空気清浄フィルタの耐久性を向上させた空気調和機を提供することを目的とする。
【課題を解決するための手段】
【０００８】
請求項１記載の本発明の空気調和機は、吸込口と、前記吸込口から空気を吸い込ませるファンと、前記ファンの動作により発生する空気流が吹き出す吹出口と、前記空気流に含まれている塵埃を集塵する空気清浄フィルタと、前記空気清浄フィルタの配置位置を移動させる移動装置と、を備え、前記移動装置が、前記空気清浄フィルタを、回動または直進させることで、前記空気清浄フィルタの配置位置を移動させることを特徴とするものである。
【０００９】
これによれば、空気清浄フィルタが回動または直進移動されることで、空気清浄フィルタの屈伸による劣化を防止でき、空気清浄フィルタの耐久性を向上させた空気調和機を提供できる。
【発明の効果】
【００１０】
本発明によれば、空気清浄フィルタの屈伸による劣化を防止でき、空気清浄フィルタの
耐久性を向上させた空気調和機を提供できる。
【図面の簡単な説明】
【００１１】
【図１】本発明の実施の形態１における空気調和機の室内機の第１の運転モードの縦断面図
【図２】同空気調和機の室内機の第２の運転モードの縦断面図
【図３】同空気調和機の室内機の第２の運転モードの縦断面図
【図４】本発明の他の実施の形態による空気調和機の室内機の第１の運転モードの縦断面図
【図５】同空気調和機の室内機の第２の運転モードの縦断面図
【図６】同空気調和機の室内機の第２の運転モードの縦断面図
【図７】本発明の他の実施の形態による空気調和機の室内機の第２の運転モードの縦断面図
【発明を実施するための形態】
【００１２】
第１の発明は、吸込口と、前記吸込口から空気を吸い込ませるファンと、前記ファンの動作により発生する空気流が吹き出す吹出口と、前記空気流に含まれている塵埃を集塵する空気清浄フィルタと、前記空気清浄フィルタの配置位置を移動させる移動装置と、を備え、前記移動装置が、前記空気清浄フィルタを、回動または直進させることで、前記空気清浄フィルタの配置位置を移動させることを特徴とする空気調和機である。
【００１３】
これによれば、空気清浄フィルタが回動または直進移動されることで、空気清浄フィルタの屈伸による劣化を防止でき、空気清浄フィルタの耐久性を向上させた空気調和機を提供できる。また、移動装置によって空気清浄フィルタを移動させることで、必要に応じて空気清浄機能を有効にさせることができ、空気の清浄度が高い時には空気調和機は通風抵抗の増加を抑制しつつ、空気の清浄度が低いときは空気清浄機能によって空気の清浄度を高めることができる。
【００１４】
第２の発明は、特に第１の発明において、前記ファンの上流側の空気流路に、前記空気流に含まれている粗塵を集塵するエアフィルタを備え、前記空気清浄フィルタは、前記エアフィルタの上流側にて、配置位置を移動することを特徴とするものである。
【００１５】
これによれば、空気清浄フィルタをエアフィルタより上流側にて移動させることで、エアフィルタを外すことなく、空気清浄フィルタを交換することが可能になり、交換作業を容易にすることができる。
【００１６】
第３の発明は、特に第１の発明において、前記ファンの上流側の空気流路に、前記空気流に含まれている粗塵を集塵するエアフィルタを備え、前記空気清浄フィルタは、前記エアフィルタの下流側にて、配置位置を移動することを特徴とするものである。
【００１７】
これによれば、粗塵をエアフィルタで集塵することができ、空気清浄フィルタに粗塵が付着しないため、空気清浄フィルタの耐久性を向上させることができる。
【００１８】
第４の発明は、特に、第１から第３のいずれかの発明において、前記空気清浄フィルタの少なくとも一部が、円弧状あるいは湾曲状、または、平板状であることを特徴とするものである。
【００１９】
これによれば、空気清浄フィルタの少なくとも一部が、円弧状あるいは湾曲状であるときには、限られた空間を効率良く利用し配置することができ、さらに、空気清浄フィルタを回動させることで、移動装置を簡素に構成することができる。また、空気清浄フィルタが平板状であるときには、空気清浄フィルタを直線移動させることで、限られた空間内で空気清浄フィルタを移動させることができる。いずれにしても、空気清浄フィルタの屈伸による劣化を防止でき、空気清浄フィルタの耐久性を向上できる。
【００２０】
第５の発明は、特に、第１から第４のいずれかの発明において、前記空気流と熱交換する熱交換器を備え、前記吸込口は、少なくとも前記熱交換器の天面に対向する位置に設けられており、前記吸込口の前記熱交換器の天面に対向する位置に、前記空気清浄フィルタの少なくとも一部は配置されることを特徴とするものである。
【００２１】
これによれば、吸込口の熱交換器の天面に対向する位置は、吸込口から吸込まれた空気流が多く流れる位置であり、この吸込口の熱交換器の天面に対向する位置まで、空気清浄フィルタの配置位置を移動するようにしたことで、空気浄化機能の高い空気調和機を提供することができる。
【００２２】
以下、本発明の実施の形態について、図面を参照しながら説明する。なお、この実施の形態によって本発明が限定されるものではない。
【００２３】
（実施の形態１）
図１から図３は、本実施の形態１による空気調和機の室内機の縦断面図である。
【００２４】
本実施の形態による空気調和機は、室内機と室外機とから構成される。室内機と室外機とは冷媒配管及び制御配線により接続され、室内機と室外機とによりヒートポンプが構成される。室外機にはコンプレッサが設けられている。室内機は、室内の壁面に取り付けられる。
【００２５】
本実施の形態による空気調和機の室内機は、吸込口１１と吹出口１２とを形成する本体１と、本体１の前面に設ける前面パネル２とを備えている。吸込口１１は本体１の上面に形成され、吹出口１２は本体１の下面に形成される。本体１の後面１３は壁面に取り付けられる。
【００２６】
本体１の内部には、吸込口１１から空気を吸い込ませるファン２０と、吸込口１１から吸い込まれた空気と熱交換する熱交換器３０とを設けている。ファン２０には、貫流ファン（クロスフローファン）が適している。ファン２０は、左右両端のいずれかの回転軸にファンモータを連結している（図示せず）。ファン２０の下流から吹出口１２の上流に至る下流空気流路４０は、ファン２０の下流に配置されて空気の流れを案内するリアガイダ４１と、このリアガイダ４１に対向して配置されたスタビライザ４２と、本体１の両側壁（図示せず）とで形成されている。
【００２７】
吹出口１２には、上下風向変更羽根５１と左右風向変更羽根５２とを設けている。左右風向変更羽根５２は上下風向変更羽根５１より上流側に配置している。上下風向変更羽根５１は、吹出口１２を開閉し、空気の吹き出しを上下方向に変更する。左右風向変更羽根５２は、空気の吹き出しを左右方向に変更する。
【００２８】
ファン２０の上流側の空気流路６０には、熱交換器３０とエアフィルタ７０と空気清浄フィルタ８０Ａとが配置されている。空気清浄フィルタ８０Ａはエアフィルタ７０とは別体として形成されている。エアフィルタ７０は、比較的大きな塵埃を捕獲することを目的とした租塵用のフィルタである。一方、空気清浄フィルタ８０Ａは、前記エアフィルタ７０より通風抵抗が大きく、前記エアフィルタ７０を通過するような微粒子を捕獲することを目的としたフィルタであり、プリーツ式や不織布式が好ましい。なお、この空気清浄フィルタ８０Ａに、脱臭フィルタ等の空気清浄フィルタ８０Ａと異なる空気浄化機能を有する部材が、さらに設けられていても構わない。
【００２９】
移動装置９０Ａは、空気清浄フィルタ８０Ａの形状を変形させることなく、配置されているそのままの形状で、空気清浄フィルタ８０Ａの配置位置を移動させる。移動装置９０Ａは、例えばモータ９１と歯車９２とで構成され、空気清浄フィルタ８０Ａの外枠に形成したラック８１に歯車９２を噛み合わせ、モータ９１で歯車９２を回転されることで空気清浄フィルタ８０Ａを回動させて、配置位置を移動させる。移動装置９０Ａは、空気清浄フィルタ８０Ａの形状を変形させずに、空気清浄フィルタ８０Ａを回動させて、配置位置を移動させることで、空気清浄フィルタ８０Ａの劣化を防止できる。
【００３０】
空気清浄フィルタ８０Ａの少なくとも一部は、円弧状または湾曲状である。空気清浄フィルタ８０Ａの少なくとも一部を円弧状または湾曲状とすることで、空気清浄フィルタ８０Ａを、限られた空間に空気清浄効率良く、配置することができるとともに、移動装置９０Ａを簡素に構成することができる。
【００３１】
空気清浄フィルタ８０Ａは、エアフィルタ７０より上流側の空気流路６０に配置する。空気清浄フィルタ８０Ａをエアフィルタ７０より上流側の空気流路６０に配置することで、空気清浄フィルタ８０Ａをエアフィルタ７０と熱交換器３０との間の空気流路６０に配置する場合と比較して、冷房運転時における結露による空気清浄フィルタ８０Ａの性能低下を防止できる。
【００３２】
移動装置９０Ａは、エアフィルタ７０より上流側の空気流路６０に配置することが好ましい。移動装置９０Ａをエアフィルタ７０より上流側の空気流路６０に配置することで、移動装置９０Ａをエアフィルタ７０と熱交換器３０との間の空気流路６０に配置する場合と比較して、冷房運転時における結露による移動装置９０Ａへの影響を少なくでき、更に移動装置９０Ａによる通風抵抗の増加を防止できる。
【００３３】
なお、空気清浄フィルタ８０Ａをエアフィルタ７０より上流側の空気流路６０に配置し、移動装置９０Ａをエアフィルタ７０と熱交換器３０との間の空気流路６０に配置することもできる。
【００３４】
本実施の形態による空気調和機は、少なくとも冷房運転、暖房運転、及び空気清浄運転を行うことができ、これら運転切り替えは操作装置１００にて使用者が指示を行える。
【００３５】
操作装置１００は、冷房運転を指示する操作スイッチ１０１、暖房運転を指示する操作スイッチ１０２、及び空気清浄運転を指示する操作スイッチ１０３を備えている。
【００３６】
空気清浄運転を指示する操作スイッチ１０３を使用者が操作した場合には、移動装置９０Ａは、空気清浄フィルタ８０Ａの配置位置を移動させる。
【００３７】
このように、移動装置９０Ａによる空気清浄フィルタ８０Ａの配置位置の移動を指示する操作スイッチ１０３を備えることで、使用者は操作スイッチ１０３によって空気清浄機能を有効にさせる空気清浄運転を実行させることができる。
【００３８】
本実施の形態による空気調和機は、空気に含まれる塵埃の少なくとも有無を検知する塵埃検知センサ１１０を備えている。塵埃検知センサ１１０が検知する空気の清浄度合いの結果に基づいて、移動装置９０Ａは、空気清浄フィルタ８０Ａの配置位置を移動させる。本実施の形態によれば、塵埃検知センサ１１０が検知する空気の清浄度合いによって、すなわち、塵埃有の場合には空気清浄機能を有効にさせる空気清浄運転を実行させることができる。
【００３９】
本実施の形態による空気調和機は、吸込口１１から吸い込まれた空気が、エアフィルタ７０を通過して熱交換器３０と熱交換する第１の運転モードと、移動装置９０Ａが、空気清浄フィルタ８０Ａの配置位置を移動させ、吸込口１１から吸い込まれた空気が、エアフィルタ７０と空気清浄フィルタ８０Ａと熱交換器３０とを通過する第２の運転モードとを少なくとも有している。なお、第１の運転モード時に第２の運転モードが動作しても構わない。
【００４０】
操作スイッチ１０１を使用者が操作した場合に行われる冷房運転、及び操作スイッチ１０２を使用者が操作した場合に行われる暖房運転は、第１の運転モードである。操作スイッチ１０３を使用者が操作した場合に行われる空気清浄運転は、第２の運転モードである。
【００４１】
第２の運転モードにおけるファン２０の設定回転数は、第１の運転モードにおけるファン２０の少なくとも最低設定回転数よりも大きくする。例えば、第１の運転モードにおけるファン２０が、「弱」「中」「強」の回転数に変更できる場合に、第２の運転モードにおけるファン２０の設定回転数は、少なくとも「中」の回転数とするか、「弱」の回転数よりも大きく「中」の回転数よりも小さな回転数とする。
【００４２】
このように、第２の運転モードにおけるファン２０の設定回転数を、第１の運転モードにおけるファン２０の少なくとも最低設定回転数よりも大きくすることで、空気清浄フィルタ８０Ａによる通風抵抗の増加による、吹出口１２からの吹出風量低下を防止し、空気清浄機能を十分に発揮できる風量を確保することができる。
【００４３】
以上のように構成された空気調和機について、以下その動作について説明する。なお、第１の運転モード及び第２の運転モードでは、いずれも上下風向変更羽根５１は吹出口１２を開いた状態にあるが、図１から図３では、いずれも空気清浄フィルタ８０Ａの動作だけを示している。
【００４４】
図１は、空気調和機の空調運転停止時及び第１の運転モード時を示している。
【００４５】
空調運転停止時及び第１の運転モード時の状態においては、空気清浄フィルタ８０Ａは、本体１内、すなわち略空気流路６０外に収納されている。収納状態では、空気清浄フィルタ８０Ａは、前面パネル２の内方に配置され、空気清浄フィルタ８０Ａの上端側に歯車９２が位置する。従って、空気清浄フィルタ８０Ａは、エアフィルタ７０の上流側の吸込口１１、すなわち空気流路６０を覆わない。この状態では、空気清浄機能は働かない。
【００４６】
図２及び図３は、空気調和機の第２の運転モード時を示している。
【００４７】
図２では、空気清浄フィルタ８０Ａの一部が、エアフィルタ７０の上流側の吸込口１１、すなわち空気流路６０の一部を覆い、図３では、空気清浄フィルタ８０Ａの全てが、エアフィルタ７０の上流側の吸込口１１、すなわち空気流路６０の一部を覆っている。図２の状態では、空気清浄フィルタ８０Ａの中央部分に歯車９２が位置し、図３の状態では、空気清浄フィルタ８０Ａの下端側に歯車９２が位置する。
【００４８】
モータ９１を正回転させることで、空気清浄フィルタ８０Ａは、図１の状態から図２の状態に回動し、形状が変形することなく、配置されているそのままの形状で配置位置が移動し、更にモータ９１を正回転させることで、空気清浄フィルタ８０Ａは、図２の状態から図３の状態に回動し、形状が変形することなく、配置されているそのままの形状で配置位置が移動する。つまり、吸込口１１、すなわち、空気流路６０を覆う流路面積が大きくなる方向に、空気清浄フィルタ８０Ａは配置移動する。
【００４９】
また、モータ９１を逆回転させることで、空気清浄フィルタ８０Ａは、図３の状態から図２の状態に回動し、形状が変形することなく、配置されているそのままの形状で配置位置が移動し、更にモータ９１を逆回転させることで、空気清浄フィルタ８０Ａは、図２の状態から図１の状態に回動し、形状が変形することなく、配置されているそのままの形状で配置位置が移動する。つまり、吸込口１１、すなわち、空気流路６０を覆う流路面積が小さくなる方向に、空気清浄フィルタ８０Ａは配置移動する。
【００５０】
塵埃検知センサ１１０による検知結果で清浄するか否かを判断して、移動装置９０Ａが、空気清浄フィルタ８０Ａの配置位置を図１の状態と図３の状態とで移動させるものであってもよいが、塵埃検知センサ１１０による検知結果で、空気の清浄度合いを更に判断して、第２の運転モードを、図２に示す空気清浄フィルタ８０Ａの配置位置と、図３に示す空気清浄フィルタ８０Ａの配置位置とに、１個の空気清浄フィルタ８０Ａにて配置位置を変更してもよい。
【００５１】
また、空気清浄運転を指示する操作スイッチ１０３で、強運転と弱運転との切り替えを指示できるようにして、強運転が指示された場合には、図３に示す空気清浄フィルタ８０Ａの配置位置とし、弱運転が指示された場合には、図２に示す空気清浄フィルタ８０Ａの配置位置と、１個の空気清浄フィルタ８０Ａにて配置位置を変更してもよい。
【００５２】
また、本実施の形態では、第２の運転モードにおける空気清浄フィルタ８０Ａの配置位置を、図２の状態と図３の状態との２段階で説明したが、３段階以上の配置位置とすることもできる。
【００５３】
本実施の形態によれば、空気清浄フィルタ８０Ａを、限られた空間に収納できるとともに、空気の清浄度合いに応じた空気清浄機能運転の実行の切り替えを行うことができる。
【００５４】
図４から図６は、本発明の他の実施の形態による空気調和機の室内機の縦断面図である。図１から図３に示す部材と同一機能部材には同一符号を付して説明を省略する。
【００５５】
本実施の形態では、空気清浄フィルタ８０Ｂは、３枚に分割されて形成されている。分割された空気清浄フィルタ８０Ｂは、移動装置９０Ｂによって配置位置を移動される。
【００５６】
本実施の形態による空気清浄フィルタ８０Ｂについても、空気清浄フィルタ８０Ａと同様に、エアフィルタ７０より通風抵抗が大きく、前記エアフィルタ７０を通過するような微粒子を捕獲することを目的としたフィルタであり、プリーツ式や不織布式が好ましい。
【００５７】
移動装置９０Ｂは、モータ９１と歯車９２とで構成されるものを図示していないが、空気清浄フィルタ８０Ｂの形状を変形させることなく、空気清浄フィルタ８０Ｂの配置位置を移動させるという機能については移動装置９０Ａと同様である。
【００５８】
図４から図６を用いて、以下に空気清浄フィルタ８０Ｂの動作を説明する。なお、本実施の形態についても、第１の運転モード及び第２の運転モードでは、いずれも上下風向変更羽根５１は吹出口１２を開いた状態にあるが、図４から図６では、いずれも空気清浄フィルタ８０Ｂの動作だけを示している。
【００５９】
図４は、空気調和機の空調運転停止時及び第１の運転モード時を示している。
【００６０】
空調運転停止時及び第１の運転モード時の状態においては、複数枚の平板状の空気清浄フィルタ８０Ｂの全てが、本体１内に並列に、略空気流路６０外に収納されている。収納状態では、空気清浄フィルタ８０Ｂは、前面パネル２の内方に並列に配置されている。従って、空気清浄フィルタ８０Ｂは、エアフィルタ７０の上流側の空気流路６０を覆わない。この状態では、空気清浄機能は働かない。
【００６１】
図５及び図６は、空気調和機の第２の運転モード時を示している。
【００６２】
図５では、１枚の空気清浄フィルタ８０Ｂが、エアフィルタ７０の上流側の吸込口１１、すなわち、空気流路６０の一部を覆い、図６では、３枚の空気清浄フィルタ８０Ｂの全てが、エアフィルタ７０の上流側の吸込口１１、すなわち、空気流路６０を覆っている。
【００６３】
図６の状態では、３枚の空気清浄フィルタ８０Ｂは、吸込口１１、すなわち、空気流路６０に直列に配列される。
【００６４】
移動装置９０Ｂを正方向動作させることで、１枚の空気清浄フィルタ８０Ｂは、図４の状態から図５の状態に回動し、形状が変形することなく、配置されているそのままの形状で配置位置が移動する。さらに、移動装置９０Ｃを正方向動作させることで、１枚の空気清浄フィルタ８０Ｂは、形状が変形することなく、配置されているそのままの形状で、本体１の後面方向へと直進移動し、配置位置が移動する。
【００６５】
そして、移動装置９０Ｂおよび移動装置９０Ｄを正方向動作させることで、残りの２枚の空気清浄フィルタ８０Ｂは、図５の状態から図６の状態に回動移動と直進移動とを順次行うことで、形状が変形することなく、配置されているそのままの形状で配置位置が移動する。つまり、吸込口１１、すなわち、空気流路６０を覆う流路面積が大きくなる方向に、空気清浄フィルタ８０Ｂは、回動移動および直進移動しながら、配置位置が移動するのである。
【００６６】
ここで、図６のように、吸込口１１の熱交換器３０の天面に対向する位置に、空気清浄フィルタ８０Ｂが配置するように配置位置を移動させることで、吸込口１１の熱交換器の３０の天面に対向する位置は、吸込口１１から吸込まれた空気流が多く流れる位置であり、この吸込口１１の熱交換器３０の天面に対向する位置まで、空気清浄フィルタ８０Ｂの配置位置を移動するようにしたことで、空気浄化機能を向上できる。
【００６７】
また、移動装置９０Ｂおよび移動装置９０Ｄを逆方向動作させることで、２枚の空気清浄フィルタ８０Ｂは、図６の状態から図５の状態に回動し、形状が変形することなく、配置されているそのままの形状で配置位置が移動する。さらに、移動装置９０Ｃを逆方向動作させることで、残りの１枚の空気清浄フィルタ８０Ｂは直進移動し、その後、移動装置９０Ｂおよび移動装置９０Ｄを逆方向動作させることで、この１枚の空気清浄フィルタ８０Ｂは、図５の状態から図４の状態に回動し、形状が変形することなく、配置されているそのままの形状で配置位置が移動する。つまり、吸込口１１、すなわち、空気流路６０を覆う流路面積が小さくなる方向に、空気清浄フィルタ８０Ｂは、回動移動および直進移動しながら、配置位置が移動する。
【００６８】
塵埃検知センサ１１０による検知結果で清浄するか否かを判断して、移動装置９０Ｂが、空気清浄フィルタ８０Ｂの配置位置を図４の状態と図６の状態とで移動させるものであってもよいが、塵埃検知センサ１１０による検知結果で、空気の清浄度合いを更に判断して、第２の運転モードを、図５に示す空気清浄フィルタ８０Ｂの配置位置と、図６に示す空気清浄フィルタ８０Ｂの配置位置とに切り替えてもよい。
【００６９】
また、空気清浄運転を指示する操作スイッチ１０３で、強運転と弱運転との切り替えを指示できるようにして、強運転が指示された場合には図６に示す空気清浄フィルタ８０Ｂの配置位置とし、弱運転が指示された場合には図５に示す空気清浄フィルタ８０Ｂの配置位置としてもよい。
【００７０】
また、本実施の形態では、第２の運転モードにおける空気清浄フィルタ８０Ｂの配置位置を、図５の状態と図６の状態との２段階で説明したが、３段階の配置位置とすることもでき、更には空気清浄フィルタ８０Ｂを４枚以上で構成し、３段階以上の配置位置としてもよい。
【００７１】
本実施の形態によれば、空気清浄フィルタ８０Ｂを、限られた空間に収納できるとともに、空気の清浄度合いに応じて空気清浄機能運転の実行の切り替えを行うことができる。
【００７２】
なお、本実施の形態においては、空気清浄フィルタ８０Ｂを３枚とし、回動移動や直進移動しながら、配置位置が移動する構成としたが、空気清浄フィルタ８０Ｂを１枚とし、移動装置９０Ｃを動作させ、吸込口１１の前面側から後面側まで、直進移動のみで空気清浄フィルタ８０Ｂの配置位置を移動させるようにして、第２の運転モードにおける空気清浄フィルタ８０Ｂの配置位置は、吸込口１１から吸込まれる空気流の多い場所（例えば、吸込口１１の熱交換器の３０の天面に対向する位置）、第１の運転モードにおける空気清浄フィルタ８０Ｂの配置位置は、吸込口１１から吸込まれる空気流の少ない場所（例えば、吸込口１１の最前面側）のように、１個の空気清浄フィルタ８０Ａを直進移動のみで、空気清浄フィルタ８０Ｂの配置位置を変更するようにしてもよい。
【００７３】
図７は、本発明の他の実施の形態による空気調和機の室内機の第２の運転モードの縦断面図である。図１から図３に示す部材と同一機能部材には、同一符号を付して説明を省略する。なお、本実施の形態において、図１〜図３に示す実施の形態と異なる点は、空気清浄フィルタ８０Ｃが、エアフィルタ７０より下流側の空気流路６０に配置されている点である。
【００７４】
また、本実施の形態においても、空気清浄フィルタ８０Ｃについても、空気清浄フィルタ８０Ａと同様に、エアフィルタ７０より通風抵抗が大きく、エアフィルタ７０を通過するような微粒子を捕獲することを目的としたフィルタであり、プリーツ式や不織布式が好ましい。また、第１の運転モード及び第２の運転モードでは、いずれも上下風向変更羽根５１は、吹出口１２を開いた状態にあるが、図７では、空気清浄フィルタ８０Ｃの状態だけを示している。
【００７５】
空気清浄運転時には、空気清浄フィルタ８０Ｃは、エアフィルタ７０より下流側の空気流路６０に配置されている。そして、図１〜図３に示す実施の形態と同様に、空気清浄フィルタ８０Ｃは、移動装置９０Ｅによって回動されることで、配置位置を移動される。空気清浄フィルタ８０Ｃをエアフィルタ７０より下流側の空気流路６０に配置することで、粗塵をエアフィルタ７０で集塵することができ、空気清浄フィルタ８０Ｃに粗塵が付着しないため、空気清浄フィルタ８０Ｃの耐久性を向上させることができる。
【産業上の利用可能性】
【００７６】
以上のように、本発明にかかる空気調和機は、空気清浄フィルタが回動または直進移動されることで、空気清浄フィルタの屈伸による劣化を防止でき、空気清浄フィルタの耐久性を向上させた空気調和機を提供できるため、家庭用のみならず業務用等の空気調和機にも適用できる。
【符号の説明】
【００７７】
１  本体
２  前面パネル
１１  吸込口
１２  吹出口
１３  後面
２０  ファン
３０  熱交換器
４０  下流空気流路
４１  リアガイダ
４２  スタビライザ
５１  上下風向変更羽根
５２  左右風向変更羽根
６０  空気流路
７０  エアフィルタ
８０Ａ、８０Ｂ、８０Ｃ  空気清浄フィルタ
８１  ラック
９０Ａ、９０Ｂ、９０Ｃ、９０Ｄ、９０Ｅ  移動装置
９１  モータ
９２  歯車
１００  操作装置
１０１、１０２、１０３  操作スイッチ
１１０  塵埃検知センサ
【図１】
2019019986.tif 000003
【図２】
2019019986.tif 000004
【図３】
2019019986.tif 000005
【図４】
2019019986.tif 000006
【図５】
2019019986.tif 000007
【図６】
2019019986.tif 000008
【図７】
2019019986.tif 000009